(57)【要約】【課題】小型のポンプを使用してマイクロバブルを発生することができ、また気泡サイズの選択が可能な気泡粉砕ノズルを提供する。【解決手段】加圧液体の導入部６１に複数の加圧液体導入孔６２を穿設し、複数の加圧液体導入孔６２の吐出側開口を、導入部６１の吐出側に形成した共通の気泡粉砕空間６４に連通させた気泡粉砕ノズル。加圧液体導入孔６２を下流側に行くにつれて不連続的に径が大きくなる段差部を設けたり、加圧液体導入孔６２の内壁に、山の位置が下流側に偏倚しているタップを形成したりする。【選択図】図１
2007301561.tif 000002
【特許請求の範囲】
【請求項１】
加圧液体の導入部に複数の加圧液体導入孔を穿設し、前記複数の加圧液体導入孔の吐出側開口を、前記導入部の吐出側に形成した共通の気泡粉砕空間に連通させたことを特徴とする気泡粉砕ノズル。
【請求項２】
前記加圧液体導入孔を下流側に行くにつれて不連続的に径が大きくなる段差部を設けたことを特徴とする請求項１記載の気泡粉砕ノズル。
【請求項３】
加圧液体導入孔の内壁に、山の位置が下流側に偏倚しているタップを形成したことを特徴とする請求項１又は２記載の気泡粉砕ノズル。
【発明の詳細な説明】
【技術分野】
【０００１】
本発明は、気泡粉砕ノズルに関する。
【背景技術】
【０００２】
マイクロバブルの水質浄化機能については、例えば、平成１０年７月２４日発行の日刊工業新聞に記載されているように既に広く知られており、そのためのマイクロバブルの発生装置としては、とくに、流動性のない閉鎖水域において、浄化効果をより広範囲に拡散させるために必要な噴出力が得られること、また、その使用の環境によって、発生する気泡の大きさを自在に調整する必要がある。これらの要求特性を充足するために、従来から、特開平５−６４８００号公報、特開平５−１４６７９６号公報、特開平８−２３０７６１号公報等に見られるように、閉鎖水域浄化装置が多く提案されている。
【０００３】
特開平９−１７３４０４号公報には、ポンプの吐出圧力を検出する圧力検出手段と、前記気体吸込口から吸い込まれる気体の吸込量を変化させる気体吸込量調整手段と、前記圧力検出手段の検出結果に基づき、前記気体吸込量調整手段を駆動制御する制御手段とを備えた気泡発生装置が開示されている。
【０００４】
また、特開平１０−２９５７６１号公報には、吸水した湯水を水流として放出するポンプ部を内蔵する装置本体と、その装置本体に、水流中に空気を混入する空気取入部と、前記ポンプ部と連通しポンプ部からの水流とともに気泡を装置本体外に噴出するノズル部とを備えた浴中気泡発生装置において、略長方形の箱状で複数の噴射口を備えた翼形噴射体をノズル部に着脱かつ回動自在に取り付け、前記複数の噴射口は前記ノズル部に対向する面と反対側の面に並設開口した浴中気泡発生装置が開示されている。
【０００５】
さらに、特開平１１−１５５９２４号公報には、浴槽内の浴湯を循環ポンプにて吸い込み口から吸入するとともに気泡ノズルから噴射する際に、この気泡ノズルからの噴射される浴湯に、空気吸入部から気泡ノズルに至る空気配管を介して供給される空気を巻き込んで、気泡混じりの浴湯として浴槽内に噴射する気泡発生浴槽において、空気配管に開閉弁を設け、この開閉弁を気泡ノズルから浴湯を噴射しているときに開き、浴湯の噴射を停止しているときに閉じるように制御する制御装置を具備した気泡発生浴槽が開示されている。
【０００６】
また、マイクロバブルの発生には、主に加圧溶解法を用いているため、マイクロバブル発生に重点を置いた装置の場合、１００μｍ以上の大径の気泡の発生が出来ない。すなわち、気泡サイズの選択が出来ない。
【発明の開示】
【発明が解決しようとする課題】
【０００７】
本発明が解決しようとする課題は、小型のポンプを使用してマイクロバブルを発生することができ、また気泡サイズの選択が可能な気泡粉砕ノズルを提供することにある。
【課題を解決するための手段】
【０００８】
本発明の気泡粉砕ノズルは、加圧液体の導入部に複数の加圧液体導入孔を穿設し、前記複数の加圧液体導入孔の吐出側開口を、前記導入部の吐出側に形成した共通の気泡粉砕空間に連通させたことを特徴とする。
【０００９】
前記加圧液体導入孔を下流側に行くにつれて不連続的に径が大きくなる段差部を設けたり、加圧液体導入孔の内壁に、山の位置が下流側に偏倚しているタップを形成したりすることができる。
【発明の効果】
【００１０】
本発明の気泡粉砕ノズルは、キャビテーション作用により、小型のポンプを使用してマイクロバブルを発生することができ、また気泡サイズの選択が可能となる。
【発明を実施するための最良の形態】
【００１１】
図１は気泡粉砕ノズル６０の実施例を示すもので、（ａ）は上面の加圧液体流入側から見た導入部の形態を、（ｂ）は縦断面を、（ｃ）は下面の気泡吐出口側から見た図、（ｄ）は（ｃ）の拡大図、（ｅ）は気泡発生空間形成用筒体内部の拡大断面図である。
【００１２】
図１において、導入部６１内には、その上面に開口する加圧液体導入孔６２を形成し、この加圧液体導入孔６２は気泡粉砕管６３により導入部６１の下に形成した気泡発生空間６４に開口している。加圧液体導入孔６２から気泡粉砕管６３を通して気泡粉砕空間６４に直接加圧液体を吐出させる。
【００１３】
気泡粉砕管６３における不連続的に大径となる段と、山が下流側に偏倚しているタップ及び気泡粉砕空間６４の複合化したキャビテーション作用により、加圧液体に含まれる数１００μｍの気泡を１０μｍ程度に微細化してマイクロバブルとして吐出するようにしたものである。
【００１４】
この気泡粉砕ノズル６０は、１ｋｇ／ｃｍ2程度の加圧水を通した場合、溶存気体を液体から霧状に分離する、気液分離ノズルとしての機能も持つ。図中６２ａは加圧液体導入孔６２の流入側のアールを取った側面、６５は接続管である。
【００１５】
本発明の気泡粉砕ノズルは、例えば、気泡風呂装置を取り付けた浴槽に適用することができる。
【００１６】
図２は本発明の気泡粉砕ノズルを適用した気泡風呂装置を取り付けた浴槽を示す断面図である。図３はホース取付具の詳細図である。図４は取水部と吐出部の詳細を示す断面図である。
【００１７】
図２において、気泡風呂装置３４０は浴槽３００の壁面にホース取付具３５０を取り付けて、接続管１５、１９（ホース）によりポンプ３０１と接続したものである。図２中３６０は取水部、３７０は吐出部である。ホース取付具３５０は、図３に示すように、上部がコ字状に曲げられたホース取付支持板３５１に取付位置調節溝を３個所設け、取付位置固定ツマミ３５３と発生ノズル固定具３５４を取り付けており、コ字状に曲げられた部分の裏側にはキズ防止ラバー３５５を貼り付けている。上部と下部の取付位置固定ツマミ３５３には、ホース通し孔３５７を設けた連結材３５６を取り付け、吸盤３５８で浴槽の内壁に吸着するようにしている。中央の発生ノズル固定具３５４は、裏側から取付位置固定ツマミ３５３でホース取付支持板３５１に固定し、気泡粉砕ノズル６０を取り付けるようにしている。
【００１８】
取水部３６０の詳細を図４（ａ）に示す。ポンプ３０１への接続管１５にホース接続部３７１で取水フィルター接続部３６１に接続し、その先端に、取水フィルター３６４を取り付けた取水フィルター装填キャップ３６２を装着している。３６３は取水フィルター押さえネットである。
【００１９】
吐出部３７０の詳細を図４（ｂ）に示す。ポンプ３０１からの接続管１９は、ホース接続部３７１でノズル取付エルボ管３７２に接続し、その先端に気泡粉砕兼気泡混入ノズル４０または気泡粉砕ノズル６０を取り付ける。その先端には、流量低下抑制孔３７４を設けた流速調節筒３７３を流速調整筒取付用補助具３７５を介して取り付ける。
【図面の簡単な説明】
【００２０】
【図１】本発明の気泡粉砕ノズルの構造を示す図で、（ａ）は上面の加圧液体流入側から見た導入部の形態を、（ｂ）は縦断面を、（ｃ）は下面の気泡吐出口側から見た図、（ｄ）は（ｃ）の拡大図、（ｅ）は気泡発生空間形成用筒体内部の拡大断面図である。
【図２】本発明の気泡粉砕ノズルを適用した気泡風呂装置を取り付けた浴槽を示す断面図である。
【図３】ホース取付具の詳細図である。
【図４】取水部と吐出部の詳細を示す断面図である。
【符号の説明】
【００２１】
１５：接続管
１９：接続管
６０：気泡粉砕ノズル
６１：導入部
６２：加圧液体導入孔
６３：気泡粉砕管
６４：気泡発生空間
６５：接続管
３００：浴槽
３０１：ポンプ
３４０：気泡風呂装置
３５０：ホース取付具
３５１：ホース取付支持板
３５３：固定ツマミ
３５４：ノズル固定具
３５５：キズ防止ラバー
３５６：連結材
３５７：ホース通し孔
３６０：取水部
３６１：取水フィルター接続部
３６２：フィルター装填キャップ
３６３：フィルター押さえネット
３６４：取水フィルター
３７０：吐出部
３７１：ホース接続部
３７２：ノズル取付エルボ管
３７３：流速調節筒
３７４：流量低下抑制孔
３７５：流速調整筒取付用補助具
【図１】
2007301561.tif 000003
【図２】
2007301561.tif 000004
【図３】
2007301561.tif 000005
【図４】
2007301561.tif 000006